(57)【特許請求の範囲】
【請求項１】
浴槽と、側壁と、前記側壁の表面に形成された整流部材と、前記整流部材を覆うように形成された側壁パネルと、を備えた浴室であって、
前記浴槽は、その底面が、上層及び下層の上下２層からなり、
前記上層及び前記下層のそれぞれの板目方向は直角に組み合わせられているとともに、
前記側壁と側壁パネルとの間に通気通路が形成され、
浴槽の表面から立ち昇る水蒸気を、前記側壁パネルの下端に形成された通気通路入口から取り入れ、
前記側壁パネルの上端に形成された通気通路出口から排出するようにされていることを特徴とする浴室。
【請求項２】
前記側壁パネルの上方には、照射部及び縦格子が設けられ、前記通気通路出口から排出される水蒸気を前記縦格子間に導き、前記照射部から照射される照射光を前記縦格子間に漂う水蒸気に照射するようにしたことを特徴とする請求項１に記載の浴室。
【請求項３】
少なくとも前記浴槽、整流部材又は側壁パネルのいずれかの表面は、無機塗料が含浸されていることを特徴とする請求項１又は２に記載の浴室。
【発明の詳細な説明】
【技術分野】
【０００１】
本発明は、水蒸気の循環を助長し、腐食やカビ発生を抑制した浴室に関するものである。
【背景技術】
【０００２】
入浴は、浴槽に身体を浸すことにより、血液循環や新陳代謝を促進させ、疲労回復や健康を増進する。
このため、家庭や旅館、ホテルなどには、樹脂、ステンレス、ほうろう、木質材等を素材とした浴室が設備されている。
例えば、特許文献１には、洗い場と浴槽を備え、周縁部に複数の側壁パネルが取付けられ浴室が記載されている。
【先行技術文献】
【特許文献】
【０００３】
【特許文献１】特開平５-９１９５３号公報
【発明の概要】
【発明が解決しようとする課題】
【０００４】
しかしながら、特許文献１に記載されている浴室は壁部が密着して固定されているため、浴室を乾燥させると、壁部の表面側は乾燥され易いが、壁部の裏面は乾燥されにくいため、壁部の裏側は腐食したりカビが発生し易かった。
本発明は上記従来の問題点に鑑みて発明したものであって、その目的とするところは、浴室中の気流の循環を促進し、腐食やカビ発生を抑制した浴室に関するものである。
また、本発明の他の目的は、使用者にリラックス効果を付与せしめることができる浴室を提供することである。
【課題を解決するための手段】
【０００５】
上記課題を解決するために、本発明は、以下のような構成とする。
（１）本発明の浴室は、
浴槽と、側壁と、前記側壁の表面に形成された整流部材と、前記整流部材を覆うように形成された側壁パネルと、を備えた浴室であって、
前記浴槽は、その底面が、上層及び下層の上下２層からなり、
前記上層及び前記下層のそれぞれの板目方向は直角に組み合わせられているとともに、
前記側壁と側壁パネルとの間に通気通路が形成され、
浴槽の表面から立ち昇る水蒸気を、前記側壁パネルの下端に形成された通気通路入口から取り入れ、
前記側壁パネルの上端に形成された通気通路出口から排出するようにされていることを特徴とする。
（２）上記（１）において、
前記側壁パネルの上方には、照射部及び縦格子が設けられ、
前記通気通路出口から排出される水蒸気を前記縦格子間に導き、前記照射部から照射される照射光を前記縦格子間に漂う水蒸気に照射するようにしたことを特徴とする。
（３）上記（１）又は（２）において、
少なくとも前記浴槽、整流部材又は側壁パネルのいずれかの表面は、
無機塗料が含浸されていることを特徴とする。
【発明の効果】
【０００６】
本発明の浴室は、側壁と側壁パネルの間に通気通路が形成され浴室内の気流の循環を促進することができるので、側壁パネルの表面側だけでなく裏面側も乾燥させることができ、浴室の腐食やカビ発生を抑制することができる。
また、本発明の浴室は、側壁パネルの裏側に設けた通気通路によって、浴室中の気流の循環を促進し、使用者にリラックス効果を付与せしめることができる。
さらに、通気通路から排出され縦格子の間に漂う水蒸気に照明を照射することによって、水蒸気から反射される光によって、癒し効果を発揮する。
【図面の簡単な説明】
【０００７】
【図１】図１は本発明の実施形態の浴室の一部を示す概略斜視図である。
【図２】実施形態の浴室の平面図である。
【図３】図２の平面図をＡ視方向からみた正面図であり、（ａ）は側壁パネルを取り付けた状態、（ｂ）は側壁パネルを取り外した状態である。
【図４】図２の平面図をＢ視方向からみた正面図であり、（ａ）は側壁パネルを取り付けた状態、（ｂ）は側壁パネルを取り外した状態である。
【図５】図２の平面図をＣ視方向からみた正面図であり、（ａ）は側壁パネルを取り付けた状態、（ｂ）は側壁パネルを取り外した状態である。
【図６】図２の平面図をＤ視方向からみた正面図であり、（ａ）は側壁パネルを取り付けた状態、（ｂ）は側壁パネルを取り外した状態である。
【図７】側壁パネルを取り付けた状態を示す縦断面図であり、（ａ）は図３（ａ）のＥ−Ｆ断面であり、（ｂ）は図４（ａ）のＧ−Ｈ断面である。
【図８】実施形態の浴槽の概略図であり、（ａ）は平面図、（ｂ）は縦断面図である。
【図９】実施形態の浴槽の底面の構成を示す概略斜視図である。
【図１０】水蒸気の流れを示した説明図である。
【図１１】水蒸気が照明によって反射される状態を示す説明図である。
【発明を実施するための形態】
【０００８】
以下、本発明の実施形態の浴室について、図面を参照しながら説明する。
＜浴室の構成＞
図１の浴室斜視図、図２の浴室平面図に示すように、実施形態の浴室１０は、浴槽１１と、側壁１２と、側壁１２の表面に形成された整流部材１３と、整流部材１３の上に形成された側壁パネル１４と、を備えている。
実施形態では、４方の側壁１２の前面に設けられた４枚の側壁パネル１４と、側壁パネル１４の上方の天井壁１７によって囲まれた空間が浴室１０となっている。
【０００９】
＜側壁パネル１４＞
浴室１０は、図２に示すように、平面視において４方の側壁１２に囲まれた略方形に形成されており、それぞれの側壁１２の表面には側壁パネル１４が取り付けられている（Ａ〜Ｄ視）。
なお、浴室１０には、浴室に入るための出入口１０ａが形成されており開閉扉１０ｂが設けられている（図６参照）。
また、図１に示すように、浴室１０の床面１０ｃには木製の板材が敷き詰められ、浴室１０の一側壁にシャワー設備１０ｄが取り付けられており、図示しない排水設備が設けられている。
【００１０】
本実施形態では、図２、図３〜図６に示すように、側壁パネル１４は、上下に長い縦長の平面パネル１４ａと、その平面パネル１４ａの板材を複数枚並べて連結する水平方向に差し渡された横木１４ｂと、によって構成される（図７も参照）。
平面パネル１４ａとしては、木質材を構成要素に分解し再構成した材料（例えばパーティクルボード）や、木質材を必要な寸法に切り出した無垢材などが好ましく挙げられる。
【００１１】
＜側壁パネル１４の取り付け＞
そして、側壁パネル１４は、整流部材１３を覆うように、側壁１２の表面に上下方向に形成されている整流部材１３に当接させて、側壁１２の前面に取り付けられる。
【００１２】
＜整流部材＞
整流部材１３は、側壁パネル１４を連結する横木１４ｂと垂直になるように（縦方向）に、側壁１２の表面に形成されている。
整流部材１３の側壁１２への形成は、例えば、平面視にて説明すると、浴室１０の内側から、整流部材１３及び側壁１２に貫通するようにビスをねじ込むことによって固着することができる。
これによって、側壁１２と側壁パネル１４の間に、間隔をおいて上下が解放された空間を形成することができる。
この空間が浴槽１１から立ち昇る水蒸気１６ｃを下から吸って天井近くまで上昇させる通気通路１６となる（図７参照）。
整流部材１３としては、縦長の長尺角形木質材が挙げられる。
【００１３】
＜通気通路１６＞
通気通路１６は、側壁１２と側壁パネル１４との間で、整流部材１３と整流部材１３との間に形成された上下方向に貫通する空間であり、整流部材１３間に複数形成されている。
この通気通路１６に、浴槽１１の表面から立ち昇る水蒸気１６ｃを、側壁パネル１４の下端に形成された通気通路入口１６ａから取り入れ、前記側壁パネル１４の上端に形成された通気通路出口１６ｂから排出するようにされている。
これにより、浴室内の気流の循環を促進することができ、浴室中の気流の循環を促進し、使用者にリラックス効果を付与せしめることができる。
また、浴室の乾燥時には、側壁パネル１４の表面側だけでなく裏面側も乾燥させることによって浴室１０の腐食やカビ発生を抑制することができる。
【００１４】
この整流部材１３によって、水蒸気１６ｃの上昇流を整流化して、浴室中に流れる気流を優しい流れとすることができ、使用者にリラックス効果を付与する。
【００１５】
＜側壁パネルの取り付け位置＞
水蒸気の取入れ口となる通気通路入口１６ａは、浴槽１１の上端部よりも少し上方に設けられており、浴槽１１からの水蒸気１６ｃを吸い込み易くしている。
水蒸気の吐出し口となる通気通路出口１６ｂは、天井壁１７よりも少し下方に設けられており、できるだけ高くまで側壁パネル１４に沿って上昇し、天井壁１７まで導くように、取り付け位置は適宜調整する。
【００１６】
図１０に浴室における水蒸気の流れを示す。
図１０において、一部の側壁パネル１４を除去した状態で、通気通路１６を通る水蒸気１６ｃの流れを実線と破線でわかりやすく示している。
破線の部分は側壁パネル１４によって隠されている流れである。
水蒸気１６ｃは、側壁パネル１４の下方の通気通路入口１６ａから吸い込まれ、側壁パネル１４の上方の通気通路出口１６ｂから天井方向に排出される。
整流部材１３、１３を設けて、通気通路１６を幅狭の空間とすることによって、上昇気流形成の促進効果（煙突効果）を付与することもできる。
【００１７】
＜縦格子１８、照射部２０＞
次に、図３，図７（ａ）、図１１を用いて、縦格子１８及び照明部２０の説明をする。
図示するように、側壁パネル１４のうちの一面（Ａ視の面）の上端裏側には、上方に向けて垂直に縦格子１８が立設されているとともに、縦格子１８に向けて光を照射する照射部２０を備えている。
照射部２０は、側壁パネル１４の裏側上方の横材１４ｂの上面に設置され、この位置から、縦格子１８に向けてＬＥＤ光を照射する。
このＬＥＤ光が、縦格子１８の間を流れる水蒸気１６ｃに反射して幻想的な装飾効果が創出される。
なお、照射部２０は、凹型のケース２１と、ケース２１に収納される本体装置２２を備える。
本体装置２２は、ＬＥＤ等の光源を有する帯状の光源部を備え、光源部で生じた光を上方に照射するように構成されている。
なお、縦格子１８は、木質材やガラス、樹脂で形成された縦長の板材であり、複数の部材を組み合わせて形成することも可能である。
さらに、通気通路から排出され縦格子の間に漂う水蒸気に照明を照射することによって、水蒸気から反射される光によって、癒し効果を発揮する。
【００１８】
＜浴槽１１＞
浴槽１１は、図８に示すように、湯水を溜めることができるように凹状に形成された浴槽本体１１ａと、浴槽本体１１ａの周縁から水平方向に延長された上縁部１１ｂとを、一体的に備えている。
浴槽本体１１ａは、底面１５と、底面１５の周縁から起立する側壁１２を備えている。
なお、浴槽１１は、浴室１０の側壁１２のうちの少なくとも一面と接するように埋め込まれている。
【００１９】
＜底面１５＞
浴槽１１の底面１５は、上層１５ａ及び下層１５ｂの上下２層からなり、底面１５を形成する上層１５ａ及び下層１５ｂのそれぞれの板目方向は直角に組み合わせられている。
すなわち、底面１５の上層１５ａは、板目方向がＹ方向である矩形状の板材を、Ｘ方向に複数枚（一例として図８では１１枚）並べて形成されている。
底面１５の下層１５ｂは、板目方向がＸ方向である矩形状の板材を、Ｙ方向に複数枚（一例として図８では５枚）並べて形成されている。
板目方向が直角（Ｘ方向及びＹ方向）になるように上層下層の板材を積層することによって、それぞれの板目方向を有する板材が水分を吸水膨張して隣接する板材との隙間をなくし、底面１５からの水もれを効果的に防止することができる。
なお、浴槽を構成する板材としては、ヒノキ材などが好適に用いられる。
【００２０】
＜無機塗料＞
本発明の浴室を構成する、少なくとも前記浴槽１１、整流部材１３又は側壁パネル１４のいずれかの表面には、無機塗料が含浸されていることが望ましい。
この無機塗料は、木質材表面に塗布されると無機成分が木質材内部で結合するとともに、木質材表面に透明な塗膜を形成し、高硬度、撥水性、耐熱性、耐薬品性、耐候性、耐汚染性などの効果を付与する。
また、透明な塗膜であるため木目を活かすことができ、表面に膜を作らないので、割れや剥がれなどが発生せず、木質材の持つ香りや質感を損なうこともない。
【００２１】
無機塗料としては、一例として以下のものが挙げられる。
塗料の主要組成（塗料作成時には、質量％の合計を１００％として配合する）
メタノール        １５−２５質量％（以下、％は質量％）
イソプロパノール  ４５−５５％
ｎ−ブタノール    １−１０％
アルコキシシラン  １０−２０％
アルミナ          １−５％
酢酸            １％以下
水・その他      １−１０％
この無機塗料は、ＳｉＯ２＋Ａｌ２Ｏ３を有するアルコキシシランを主成分とするので、加熱による縮合反応で無機高分子になる（硬化する）。
なお、アルコキシシランはアルコキシ基を持つケイ素化合物を指し、アルコキシは炭化水素＋酸素を含有する。
無機塗料は、刷毛、スプレー吹き付け、ロール、ディップなどの方法により、約５０ｇ／ｍ２ を目安に塗布され、１００〜３００℃で、１０〜４０分加熱することによって塗膜を形成する。
木質材は、吸湿性を有するという性質上、湿気による劣化・カビの発生・腐食といった物性変化は避けられないが、この無機塗料を塗布・含浸させることで、高温多湿で日々塩素殺菌が行われる過酷な環境下でも、長く木質材を使用することができる。
【産業上の利用可能性】
【００２２】
本発明の浴室は、側壁と側壁パネルの間に通気通路が形成され浴室内の気流の循環を促進することができ、側壁パネルの表面側だけでなく裏面側も乾燥させることができる。
さらに、浴室の腐食やカビ発生を抑制することができ、産業上の利用可能性が高い。
【符号の説明】
【００２３】
１０  浴室
１０ａ  内側出入口
１０ｂ  開閉扉
１０ｃ  床面
１０ｄ  シャワー設備
１１  浴槽
１１ａ  浴槽本体
１１ｂ  上縁部
１２  側壁
１３  整流部材
１４  側壁パネル
１４ａ  平面パネル
１４ｂ  横木
１５  底面
１５ａ  上層
１５ｂ  下層
１６  通気通路
１６ａ  通気通路入口
１６ｂ  通気通路出口
１６ｃ  水蒸気
１７  天井壁
１８  縦格子
２０  照射部
２１  ケース
２２  本体装置
【要約】
【課題】水蒸気の循環を助長し、癒し効果を付与した浴室を提供する。
【解決手段】
浴槽１１と、側壁１２と、側壁の表面に形成された整流部材１３と、整流部材１３を覆うように形成された側壁パネル１４と、を備えた浴室１０であって、浴槽は、その底面１０ｃが、上層１５ａ及び下層１５ｂの上下２層からなり、上層１５ａ及び前記下層１５ｂのそれぞれの板目方向は直角に組み合わせられているとともに、側壁と側壁パネルとの間に通気通路１６が形成され、浴槽の表面から立ち昇る水蒸気１６ｃを、側壁パネルの下端に形成された通気通路入口１６ａから取り入れ、側壁パネルの上端に形成された通気通路出口１６ｂから排出するようにされている。
【選択図】図１【図１】
0006678980.tif 000002
【図２】
0006678980.tif 000003
【図３】
0006678980.tif 000004
【図４】
0006678980.tif 000005
【図５】
0006678980.tif 000006
【図６】
0006678980.tif 000007
【図７】
0006678980.tif 000008
【図８】
0006678980.tif 000009
【図９】
0006678980.tif 000010
【図１０】
0006678980.tif 000011
【図１１】
0006678980.tif 000012